(57)【特許請求の範囲】
【請求項１】
第１脱着部、光路分割手段、および前記光路分割手段を挟んで前記第１脱着部の反対側に設けられている撮影光学系を有する光学ユニットと、
撮像素子、変換光学系、ファインダー光学系、および前記変換光学系を挟んで前記撮像素子の反対側に設けられている第２脱着部を有する撮像本体部と、
を備え、
前記第１脱着部と前記第２脱着部を介して、前記光学ユニットと前記撮像本体部が接続されている
ことを特徴とする撮像装置。
【発明の詳細な説明】
【技術分野】
【０００１】
本発明は、撮影光学系が脱着可能な撮像装置に関する。
【背景技術】
【０００２】
撮影目的に応じて撮像素子をサイズの異なるものと交換できるカメラが知られている（特許文献１参照）。このカメラは、略横長の箱型のカメラ本体と、銀塩一眼レフカメラ用の撮影レンズとを備えている。カメラ本体は、銀塩一眼レフカメラ用のカメラ本体をそのまま流用している。裏蓋としては、銀塩カメラ用のものと、デジタルカメラ用のものがある。そして、デジタルカメラ用の裏蓋をカメラ本体に装着することができ、これにより、デジタルカメラとして使用可能となる。さらに、ＣＣＤ基板を交換することができるようになっている。これにより、一つのカメラ本体２で異なるデジタルカメラを構成することができる。
【特許文献１】特開２０００−５９６５５号公報
【発明の開示】
【発明が解決しようとする課題】
【０００３】
上記特許文献１に記載された技術では、交換可能なＣＣＤは、それぞれ受光部のサイズが、横１６ｍｍ×縦１２ｍｍと横２４ｍｍ×縦１８ｍｍである。これは、銀塩フィルムのサイズ横３６ｍｍ×縦２４ｍｍよりも小さい。そのため、受光部の大きなサイズの撮像素子を用いることができなかった。
【０００４】
本発明は従来技術のこれらの問題点に鑑みてなされたものであり、その目的は、薄型でありながら、受光部のサイズが異なる撮像素子を用いることが可能な撮像装置を提供することである。
【課題を解決するための手段】
【０００５】
本発明にかかる撮像装置は、第１脱着部、光路分割手段、および前記光路分割手段を挟んで前記第１脱着部の反対側に設けられている撮影光学系を有する光学ユニットと、撮像素子、変換光学系、ファインダー光学系、および前記変換光学系を挟んで前記撮像素子の反対側に設けられている第２脱着部を有する撮像本体部と、を備え、前記第１脱着部と前記第２脱着部を介して、前記光学ユニットと前記撮像本体部が接続されていることを特徴とする。
【発明の効果】
【０００８】
以上の本発明によると、薄型でありながら、受光部のサイズが異なる撮像素子を用いることが可能な撮像装置を得ることができる。
【発明を実施するための最良の形態】
【０００９】
本発明の実施形態について説明する。第１の実施形態は光学ユニットである。本実施形態の光学ユニット１を図１に示す。図１において、光学ユニット１は、第１脱着部２と、光路分割手段３と、撮影光学系４を有する。
【００１０】
光路分割手段３は、例えばミラー（クイックリターンミラー）である。このミラーは第１の駆動機構５によって、第１の位置と第２の位置に移動可能になっている。第１の位置は実線で示す位置である。この第１の位置は、第１脱着部２と撮影光学系４の間である。また、第２の位置は破線で示す位置である。この第２の位置は、第１の位置にある光路分割手段３を４５度回転させた位置である。
【００１１】
本実施形態の光学ユニット１では、撮影光学系４は、第１の位置を挟んで、第１脱着部２の反対側に設けられている。この位置は、撮影光学系４の光軸と交わる位置である。そして、第１脱着部２は、例えば、バヨネットである。この第１脱着部２を介して、後述の撮像本体部が脱着できるようになっている。
【００１２】
このように、本実施形態の光学ユニットは、第１脱着部２を備えているので、様々な種類の撮像本体部、例えば撮像素子のサイズの異なる撮像本体部を接続することができる。
【００１３】
第２の実施形態について説明する。第２の実施形態は撮像本体部である。また、本実施形態の撮像本体部１０を図２に示す。撮像本体部１０は、第２脱着部１１と、撮像素子１２と、変換光学系１３と、ファインダー光学系１４を有する。また、撮像素子１２の前方に、フィルタ１５が配置されている。
【００１４】
第２脱着部１１は、図１に示す光学ユニット１の第１脱着部２に対応する位置に設けられている。第２脱着部１１は、例えば、バヨネットである。この第２脱着部１１を介して、前述の光学ユニット１が脱着できるようになっている。
【００１５】
撮像本体部１０は変換光学系１３を有する。変換光学系１３は第２脱着部１１と撮像素子１２の間に配置されている。変換光学系１３は、前側レンズ系１３ａ，１３ｂと後側レンズ系１３ｃで構成されている。前側レンズ系１３ａ，１３ｂは、全体として正の屈折力を有している。また、後側レンズ系１３ｃは、全体として正の屈折力を有している。
【００１６】
ここで、前側レンズ系１３ａ，１３ｂは、中間像の近傍に配置された正の屈折力のレンズ１３ａと、さらに別の正の屈折力のレンズ１３ｂを有する。レンズ１３ａは中間像の近傍に配置されているので、フィールドレンズとして機能する。
【００１７】
変換光学系１３は、中間像（１次像）を形成する光学系である。このようにすれば、被写体の像を大きくした場合であっても、収差の少ない像が得られる。
【００１８】
このように、本実施形態の撮像部本体１０は、本体内部に変換光学系１３を備えている。このため、この変換光学系１３によって、受光部全体に被写体の像を大きく形成できる。その結果、撮像素子１２に受光部の大きな素子を用いることができる。なお、受光部のサイズが小さい撮像装置用の撮影光学系であっても、変換光学系１３によって、被写体の像を大きく形成できる。よって、既存の撮影光学系が使えるというメリットがある。
【００１９】
また、本実施形態の撮像部本体１０は、本体内部に光路分割手段３を有していない。そのため、撮像部本体１０の薄型化が実現できる。
【００２０】
変換光学系の別の例を図３に示す。変換光学系１３’は、前側レンズ系１３ｄと後側レンズ系１３ｅで構成されている。
【００２１】
なお、前側レンズ系１３ｄは負の屈折力を有するのが好ましい。一方、後側レンズ系１３ｅは正の屈折力を有するのが好ましい。このようにすることで、被写体の像を大きく形成できる。なお、図２や図３では、前側レンズ系と後側レンズ系を、それぞれ１枚のレンズとしている。しかしながら、前側レンズ系と後側レンズ系を、それぞれ複数のレンズで構成しても良い。
【００２２】
また、変換光学系１３’は、中間像（１次像）を形成しない光学系である。このようにすれば、光学系の薄型化と撮像本体部１０の薄型化ができる。
【００２３】
第３の実施形態について説明する。第３の実施形態は撮像装置である。この撮像装置３０は、上記の撮像ユニット１と撮像本体部１０を備えている。図４に、撮像装置３０の図を示す。
【００２４】
なお、本発明は、その趣旨を逸脱しない範囲で様々な変形例をとることができる。
【図面の簡単な説明】
【００２５】
【図１】本発明の第１の実施形態における光学ユニットを示す図である。
【図２】本発明の第２の実施形態における撮像本体部を示す図である。
【図３】変換光学系の別の構成を示す図である。
【図４】本発明の第３の実施形態における撮像装置を示す図である。
【符号の説明】
【００２６】
１                光学ユニット
２                第１脱着部
３                光路分割手段
４                撮影光学系
５                第１の駆動機構
１０              撮像本体部
１１              第２脱着部
１２              撮像素子
１３，１３        変換光学系
１３ａ，ｂ，ｄ    前側レンズ系
１３ｃ，ｅ        後側レンズ系
１４              ファインダー光学系
１５              フィルタ
３０              撮像装置
【図１】
0005208533.tif 000002
【図２】
0005208533.tif 000003
【図３】
0005208533.tif 000004
【図４】
0005208533.tif 000005